(57)【要約】【課題】使い勝手の向上と安全性と効果的に図ることができる電子機器および加熱調理器を提供すること。【解決手段】異常検知部８が一の操作部と次入力操作部以外の操作部４に異常を検知した場合には異常でないと判断するとともに、異常検知部８が一の操作部と次入力操作部とに異常を検知した場合には、異常であると判断する判断部６を備え、使用者に対して使い勝手の向上を効果的に図ることができる。【選択図】図３
2008041387.tif 000002
【特許請求の範囲】
【請求項１】
複数の操作部を有する電子機器であって、複数の前記操作部のうち、一の前記操作部に入力がされた場合に、次に入力される可能性が高い次入力操作部を特定する次入力操作部情報を記憶した記憶部と、前記操作部が異常状態にあることを検知する異常検知部と、前記異常検知部が一の前記操作部と前記次入力操作部以外の操作部に異常を検知した場合には異常でないと判断するとともに、前記異常検知部が一の前記操作部と前記次入力操作部とに異常を検知した場合には、異常であると判断する判断部を備えた電子機器。
【請求項２】
複数の操作部を有する電子機器であって、複数の前記操作部のうち、一の前記操作部に入力がされた場合に、次に入力される可能性が高い次入力操作部を特定する次入力操作部情報を記憶した記憶部と、前記操作部が異常状態にあることを検知する異常検知部と、前記異常検知部が前記次入力操作部以外の操作部に異常を検知した場合には異常でないと判断するとともに、前記異常検知部が前記次入力操作部に異常を検知した場合には、異常であると判断する判断部を備えた電子機器。
【請求項３】
判断部が異常であると判断した場合には、電子機器の操作を無効とする請求項１または２に記載の電子機器。
【請求項４】
判断部が異常でないと判断した場合には、電子機器の操作を有効とする請求項１〜３のいずれか１項に記載の電子機器。
【請求項５】
前記異常検知部は、一定時間以上継続して操作部に入力が行われた場合には、異常であると検知することを特徴とする請求項１〜４のいずれか１項に記載の電子機器。
【請求項６】
前記異常検知部は、複数の操作部に同時に入力が行われた場合には、異常であると検知することを特徴とする請求項１〜４のいずれか１項に記載の電子機器。
【請求項７】
前記操作部は発光手段を備え、一の前記操作部と次入力操作部のみを発光させることを特徴とする請求項１〜６のいずれか１項に記載の電子機器。
【請求項８】
鍋を加熱する加熱手段と、前記加熱手段の上部に設けて前記鍋を設置可能なトッププレートと、前記トッププレートと同一面に設けた加熱調理を行うための条件を入力する複数の操作部と、複数の前記操作部のうち、一の前記操作部に入力された場合に、次に入力される可能性が高い次入力操作部を特定する次入力操作部情報を記憶した記憶部と、前記操作部が異常状態にあることを検知する異常検知部と、前記異常検知部が一の前記操作部と前記次入力操作部以外の操作部に異常を検知した場合には異常でないと判断するとともに、前記異常検知部が一の前記操作部と前記次入力操作部とに異常を検知した場合には、異常であると判断する判断部を備えた加熱調理器。
【請求項９】
鍋を加熱する加熱手段と、前記加熱手段の上部に設けて前記鍋を設置可能なトッププレートと、前記トッププレートと同一面に設けた加熱調理を行うための条件を入力する複数の操作部と、複数の前記操作部のうち、一の前記操作部に入力された場合に、次に入力される可能性が高い次入力操作部を特定する次入力操作部情報を記憶した記憶部と、前記操作部が異常状態にあることを検知する異常検知部と、前記異常検知部が前記次入力操作部以外の操作部に異常を検知した場合には異常でないと判断するとともに、前記異常検知部が前記次入力操作部に異常を検知した場合には、異常であると判断する判断部を備えた加熱調理器。
【請求項１０】
判断部が異常であると判断した場合には、加熱調理器の操作を無効とする請求項８または９に記載の加熱調理器。
【請求項１１】
判断部が異常でないと判断した場合には、加熱調理器の操作を有効とする請求項８〜１０のいずれか１項に記載の加熱調理器。
【請求項１２】
前記異常検知部は、一定時間以上継続して操作部に入力が行われた場合には、異常であると検知することを特徴とする請求項８〜１１のいずれか１項に記載の加熱調理器。
【請求項１３】
前記異常検知部は、複数の操作部に同時に入力が行われた場合には、異常であると検知することを特徴とする請求項８〜１１のいずれか１項に記載の加熱調理器。
【請求項１４】
前記操作部は発光手段を備え、一の前記操作部と次入力操作部のみを発光させることを特徴とする請求項８〜１３のいずれか１項に記載の加熱調理器。
【発明の詳細な説明】
【技術分野】
【０００１】
本発明は、一般家庭用や業務用として用いられる電子機器および加熱調理器に関するものである。
【背景技術】
【０００２】
従来、この種の電子機器および加熱調理器、例えば、誘導加熱調理器は、機器の上面にあたるトッププレートに静電容量検知式のタッチキーを設けて調理使用の操作性を向上させ、例えば、タッチキー上に鍋が置かれる、または鍋内の水がふきこぼれる等でタッチキーが一定時間以上継続して押下されると、異常検知して加熱を停止し、かつタッチキーの受け付けを禁止して機器の安全性をはかったものがある（例えば、特許文献１参照）。
【特許文献１】特開２００３−２７９０５５号公報
【発明の開示】
【発明が解決しようとする課題】
【０００３】
しかしながら、前記従来の構成では、異常を検知するとタッチキーを全て受け付け禁止にしてしまうため、異常検知の頻度が高くなり使い勝手が悪いという課題を有していた。
【０００４】
本発明は、前記従来の課題を解決するもので、キー異常が生じても使い勝手の向上を効果的に図ることができる電子機器および加熱調理器を提供することを目的とする。
【課題を解決するための手段】
【０００５】
前記従来の課題を解決するために、本発明の電子機器は、複数の操作部を有する電子機器であって、複数の前記操作部のうち、一の前記操作部に入力がされた場合に、次に入力される可能性が高い次入力操作部を特定する次入力操作部情報を記憶した記憶部と、前記操作部が異常状態にあることを検知する異常検知部と、前記異常検知部が一の前記操作部と前記次入力操作部以外の操作部に異常を検知した場合には異常でないと判断するとともに、前記異常検知部が一の前記操作部と前記次入力操作部とに異常を検知した場合には、異常であると判断する判断部を備えたものである。
【０００６】
これにより、キー異常を検知した場合の処理を区別しているので、不用意に機器を停止することがないようにでき、使用者に対する使い勝手の向上を図ることができる。
【発明の効果】
【０００７】
本発明の電子機器および加熱調理器は、使用者に対して使い勝手の向上を効果的に図ることができる。
【発明を実施するための最良の形態】
【０００８】
第１の発明は、複数の操作部を有する電子機器であって、複数の前記操作部のうち、一の前記操作部に入力がされた場合に、次に入力される可能性が高い次入力操作部を特定する次入力操作部情報を記憶した記憶部と、前記操作部が異常状態にあることを検知する異常検知部と、前記異常検知部が一の前記操作部と前記次入力操作部以外の操作部に異常を検知した場合には異常でないと判断するとともに、前記異常検知部が一の前記操作部と前記次入力操作部とに異常を検知した場合には、異常であると判断する判断部を備えた電子機器とすることにより、不要な異常検知を抑えることができる。
【０００９】
第２の発明は、複数の操作部を有する電子機器であって、複数の前記操作部のうち、一の前記操作部に入力がされた場合に、次に入力される可能性が高い次入力操作部を特定する次入力操作部情報を記憶した記憶部と、前記操作部が異常状態にあることを検知する異常検知部と、前記異常検知部が前記次入力操作部以外の操作部に異常を検知した場合には異常でないと判断するとともに、前記異常検知部が前記次入力操作部に異常を検知した場合には、異常であると判断する判断部を備えた電子機器とすることにより、必要な異常だけを検知することができる。
【００１０】
第３の発明は、特に、第１〜２のいずれか１つの発明において、判断部が異常であると判断した場合には、電子機器の操作を無効とすることにより、効率よく異常を検知した後の処理を実施することができる。
【００１１】
第４の発明は、特に、第１〜３のいずれか１つの発明において、判断部が異常検知手段が異常でないと判断した場合には、電子機器の操作を有効とすることにより、使い勝手を向上させることができる。
【００１２】
第５の発明は、特に、第１〜４のいずれか１つの発明において、異常検知部は、一定時間以上継続して操作部に入力が行われた場合には、異常であると検知することにより、実際に押下されたものか、操作部上に物が置かれているのかを区別することができる。
【００１３】
第６の発明は、特に、第１〜４のいずれか１つの発明において、異常検知部は、複数の操作部に同時に入力が行われた場合には、異常であると検知することにより、実際に押下されたものか、操作部上に物が置かれているのかを区別することができる。
【００１４】
第７の発明は、特に、第１〜６のいずれか１つの発明において、操作部は発光手段を備え、一の前記操作部と次入力操作部のみを発光させることにより、操作状況が一目で分かるようにすることができる。
【００１５】
第８の発明は、鍋を加熱する加熱手段と、前記加熱手段の上部に設けて前記鍋を設置可能なトッププレートと、前記トッププレートと同一面に設けた加熱調理を行うための条件を入力する複数の操作部と、複数の前記操作部のうち、一の前記操作部に入力された場合に、次に入力される可能性が高い次入力操作部を特定する次入力操作部情報を記憶した記憶部と、前記操作部が異常状態にあることを検知する異常検知部と、前記異常検知部が一の前記操作部と前記次入力操作部以外の操作部に異常を検知した場合には異常でないと判断するとともに、前記異常検知部が一の前記操作部と前記次入力操作部とに異常を検知した場合には、異常であると判断する判断部を備えた加熱調理器とすることにより、不要な異常検知を抑制することができる。
【００１６】
第９の発明は、鍋を加熱する加熱手段と、前記加熱手段の上部に設けて前記鍋を設置可能なトッププレートと、前記トッププレートと同一面に設けた加熱調理を行うための条件を入力する複数の操作部と、複数の前記操作部のうち、一の前記操作部に入力された場合に、次に入力される可能性が高い次入力操作部を特定する次入力操作部情報を記憶した記憶部と、前記操作部が異常状態にあることを検知する異常検知部と、前記異常検知部が前記次入力操作部以外の操作部に異常を検知した場合には異常でないと判断するとともに、前記異常検知部が前記次入力操作部に異常を検知した場合には、異常であると判断する判断部を備えた加熱調理器とすることにより、必要な異常だけを確実に検知することができる。
【００１７】
第１０の発明は、特に、第８〜９のいずれか１つの発明において、判断部が異常であると判断した場合には、加熱調理器の操作を無効とすることにより、確実に異常を検知した後の処理を実施することができる。
【００１８】
第１１の発明は、特に、第８〜１０のいずれか１つの発明において、判断部が異常検知部が異常でないと判断した場合には、加熱調理器の操作を有効とすることにより、使い勝手を向上させることができる。
【００１９】
第１２の発明は、特に、第８〜１１のいずれか１つの発明において、異常検知部は、一定時間以上継続して操作部に入力が行われた場合には、異常であると検知することにより、実際に押下されたものか、操作部上に物が置かれているのかを区別することができる。
【００２０】
第１３の発明は、特に、第８〜１１のいずれか１つの発明において、異常検知部は、複数の操作部に同時に入力が行われた場合には、異常であると検知することにより、実際に押下されたものか、操作部上に物が置かれているのかを区別することができる。
【００２１】
第１４の発明は、特に、第８〜１３のいずれか１つの発明において、操作部は発光手段を備え、一の前記操作部と次入力操作部のみを発光させることにより、操作状況が一目で分かるようにすることができる。
【００２２】
以下、本発明の実施の形態について、図面を参照しながら説明する。なお、この実施の形態によって本発明が限定されるものではない。
【００２３】
（実施の形態１）
図１は本発明の第１の実施の形態における電子機器の一例である加熱調理器の平面図を、図２は加熱調理器における操作部の拡大平面図を、図３は加熱調理器におけるブロック図を示すものである。
【００２４】
図１において、加熱調理器１は、鍋を誘導加熱する加熱手段３を有し、加熱調理器１の内部には、加熱手段３に対応する誘導加熱手段を構成する加熱コイル（図示せず）が配され、加熱コイルの電源回路である通電制御回路（図示せず）が加熱コイルの下方に配されている。そして、加熱手段３の上部に設けて鍋を設置可能な、結晶化ガラスを素材としたトッププレート２を有する。そして、トッププレート２の周囲をプレート枠５で囲んで覆われている。また、トッププレート２と同一面に設けた加熱調理を行うための条件を入力する複数の操作部４ａ〜４ｆが設けられている。詳しくは、図２で示すように、加熱手段３に通電するための加熱入切キー４ａの他、加熱手段３の火力を調節するための火力アップキー４ｂおよび火力ダウンキー４ｃが配置され、その他、揚げ物キー４ｄ、オート調理キー４ｅ、取消キー４ｆなどを配置し、各操作部には発光手段を備えている。
【００２５】
さらに、加熱調理器１は、図３に示すように、複数の操作部４のうち、一の前記操作部に入力された場合に、次に入力される可能性が高い次入力操作部を特定する次入力操作部情報を記憶した記憶部７と、操作部が異常状態にあることを検知する異常検知部８と、異常検知部８が一の操作部と前記次入力操作部以外の操作部に異常を検知した場合には異常でないと判断するとともに、異常検知部が一の操作部と次入力操作部とに異常を検知した場合には、異常であると判断する判断部６を備えている。
【００２６】
以上のように構成された加熱調理器について、以下その動作、作用を図２および図３を用いて説明する。
【００２７】
まず、操作部４の加熱入切キー４ａを操作後、加熱手段３が加熱することで調理を開始する。この時、判断部６は記憶部７に記憶された次入力操作部情報を基に、次に入力される可能性が高い次入力操作部として、火力アップキー４ｂおよび火力ダウンキー４ｃを特定する。この時、一の前記操作部でもある加熱入切キー４ａを点灯させることによって現在の操作状況を報知するとともに、火力アップキー４ｂおよび火力ダウンキー４ｃを点滅させることによって使用者に次の動作を促し、使用者に機器の操作手順が一目で分かるようにすることができる。また調理中不用意なキーの押下（例えば、一定時間継続して押下されたままの状態や、あるいは複数の操作部において多重押しの状態）がなされた場合、押下されたキーが加熱入切キー４ａ、火力アップキー４ｂおよび火力ダウンキー４ｃの場合には異常が発生したと判断して機器の操作を無効とし、加熱入切キー４ａ、火力アップキー４ｂおよび火力ダウンキー４ｃ以外の操作部で異常を検知した場合には、異常でないと判断して機器の操作を継続して使用できるようにして調理動作を容易に停止させない構成とすることで、使い勝手を向上することができる。
【００２８】
一方、操作部４のオート調理キー４ｅを操作した場合、判断部６は記憶部７に記憶された次入力操作部情報を基に、次に入力される可能性が高い次入力操作部、火力アップキー４ｂおよび火力ダウンキー４ｃを特定する。この時、一の前記操作部でもあるオート調理キー４ｅを点灯させることによって現在の操作状況を報知するとともに、火力アップキー４ｂおよび火力ダウンキー４ｃ、加熱入切キー４ａを点滅させることによって使用者に次の動作を促し、使用者に機器の操作手順が一目で分かるようにすることができる。また調理中不用意なキーの押下がなされた場合、押下されたキーが加熱入切キー４ａ、火力アップキー４ｂおよび火力ダウンキー４ｃの場合には異常が発生したと判断して機器の操作を無効とし、加熱入切キー４ａ、火力アップキー４ｂおよび火力ダウンキー４ｃ以外の操作部で異常を検知した場合には、異常でないと判断して機器の操作を継続して使用できるようにして調理動作を容易に停止させない構成とすることで、使い勝手を向上することができる。
【００２９】
なお、判断部６は、異常検知部８が一の操作部である加熱入切キー４ａと次入力操作部である火力アップキー４ｂおよび火力ダウンキー４ｃ以外の操作部に異常を検知した場合には異常でないと判断するとともに、異常検知部８が一の操作部加熱入切キー４ａと次入力操作部火力アップキー４ｂおよび火力ダウンキー４ｃとに異常を検知した場合には異常であると判断する構成としたが、これに限られず、異常検知部８が次入力操作部である火力アップキー４ｂおよび火力ダウンキー４ｃ以外の操作部に異常を検知した場合には異常でないと判断するとともに、異常検知部が次入力操作部である火力アップキー４ｂおよび火力ダウンキー４ｃに異常を検知した場合には、異常であると判断する構成としてもよいしてもよい。
【００３０】
また、一の操作部である加熱入切キー４ａと次入力操作部である火力アップキー４ｂおよび火力ダウンキー４ｃは別の操作部としたが、一の操作部に複数の機能を持たせることにより（本実施の形態では加熱入切キー４ａは加熱の入力する機能と、加熱を切る機能）により、一の操作部と次入力操作部とは重複してもよい。
【００３１】
なお、本実施の形態では加熱調理器を用いて説明したが、これに限定されるものではなく、洗濯機やエアコン、その他の電子機器においても同様の効果を得られることができる。
【００３２】
以上のように、本実施の形態においては、異常検知部が一の操作部と次入力操作部以外の操作部に異常を検知した場合には異常でないと判断するとともに、異常検知部が一の操作部と次入力操作部とに異常を検知した場合には、異常であると判断することにより、キー異常が生じても安全性と使い勝手の向上を効果的に図ることができる。
【産業上の利用可能性】
【００３３】
以上のように、本発明にかかる電子機器および加熱調理器は、使用者に対して使い勝手の向上を効果的に図ることができので、各種電子機器や誘導加熱調理器、電気加熱調理器などに適用できる。
【図面の簡単な説明】
【００３４】
【図１】本発明の実施の形態１における加熱調理器の平面図
【図２】同加熱調理器における操作部の拡大平面図
【図３】同加熱調理器におけるブロック図
【符号の説明】
【００３５】
１  本体
２  トッププレート
３  加熱手段
４  操作部
５  プレート枠
６  判断部
７  記憶部
８  異常検知部
【図１】
2008041387.tif 000003
【図２】
2008041387.tif 000004
【図３】
2008041387.tif 000005